(57)【特許請求の範囲】
【請求項１】
複数の記録層を有する情報記録媒体において、
前記情報記録媒体に記録されているアドレスである物理的ＡＤＩＰアドレス（ＰＡＡ）を有し、
前記ＰＡＡのアドレスシーケンスフィールドが２０ビット、反復シーケンスフィールドが２ビットであり、ピックアップが移動する層ｉのアドレスがＰＡＡｉであり、現在ピックアップがある層ｊのアドレスがＰＡＡｊであり、ｎが記録層の数を示すとき、
ピックアップが偶数層から奇数層に、または奇数層から偶数層に移動するときは、次のような関係：
【数４３】
0005555267.tif 000044
を有し、
ピックアップが偶数層から偶数層に、または奇数層から奇数層に移動するときは、次のような関係：
【数４４】
0005555267.tif 000045
を有することを特徴とする情報記録媒体。
【請求項２】
複数の記録層を有する情報記録媒体にデータを記録する装置において、
前記情報記録媒体に記録されているアドレスである物理的ＡＤＩＰアドレス（ＰＡＡ）を有する前記情報記録媒体にデータを伝達するために、光を照射したり光を受信するピックアップと、
データ記録のために、前記ピックアップが層間移動するときに移動するアドレスを確認し、データを記録するように、前記ピックアップを制御する制御部と、を含み、
前記制御部は、前記ＰＡＡのアドレスシーケンスフィールドが２０ビット、反復シーケンスフィールドが２ビットであり、前記ピックアップが移動する層ｉのアドレスがＰＡＡｉであり、現在ピックアップがある層ｊのアドレスがＰＡＡｊであり、ｎが記録層の数を示すとき、
前記ピックアップが偶数層から奇数層に、または奇数層から偶数層に移動するときは、次のような関係：
【数４５】
0005555267.tif 000046
を有し、
前記ピックアップが偶数層から偶数層に、または奇数層から奇数層に移動するときは、次のような関係：
【数４６】
0005555267.tif 000047
を有するか否かを確認することを特徴とする記録装置。
【請求項３】
複数の記録層を有する情報記録媒体からデータを再生する装置において、
前記情報記録媒体に記録されているアドレスである物理的ＡＤＩＰアドレス（ＰＡＡ）を有する前記情報記録媒体にデータを伝達するために、光を照射したり光を受信するピックアップと、
データ再生のために、前記ピックアップが層間移動するときに移動するアドレスを確認し、データを読み取るように、前記ピックアップを制御する制御部と、を含み、
前記制御部は、前記ＰＡＡのアドレスシーケンスフィールドが２０ビット、反復シーケンスフィールドが２ビットであり、前記ピックアップが移動する層ｉのアドレスがＰＡＡｉであり、現在ピックアップがある層ｊのアドレスがＰＡＡｊであり、ｎが記録層の数を示すとき、
前記ピックアップが偶数層から奇数層に、または奇数層から偶数層に移動するときは、次のような関係：
【数４７】
0005555267.tif 000048
を有し、
前記ピックアップが偶数層から偶数層に、または奇数層から奇数層に移動するときは、次のような関係：
【数４８】
0005555267.tif 000049
を有するか否かを確認することを特徴とする再生装置。
【請求項４】
複数の記録層を有し、情報記録媒体に記録されているアドレスである物理的ＡＤＩＰアドレス（ＰＡＡ）を有する情報記録媒体にデータを記録する方法において、
データ記録のためにピックアップが層間移動するとき、移動するアドレスを確認する段階と、
データを記録する段階と、を含み、
前記確認する段階は、
前記ＰＡＡのアドレスシーケンスフィールドが２０ビット、反復シーケンスフィールドが２ビットであり、前記ピックアップが移動する層ｉのアドレスがＰＡＡｉであり、現在ピックアップがある層ｊのアドレスがＰＡＡｊであり、ｎが記録層の数を示すとき、
前記ピックアップが偶数層から奇数層に、または奇数層から偶数層に移動するときは、次のような関係：
【数４９】
0005555267.tif 000050
を有し、
前記ピックアップが偶数層から偶数層に、または奇数層から奇数層に移動するときは、次のような関係：
【数５０】
0005555267.tif 000051
を有するか否かを確認する段階を含むことを特徴とする記録方法。
【請求項５】
複数の記録層を有し、情報記録媒体に記録されているアドレスである物理的ＡＤＩＰアドレス（ＰＡＡ）を有する情報記録媒体からデータを再生する方法において、
データ再生のために、ピックアップが層間移動するときに移動するアドレスを確認する段階と、
データを再生する段階と、を含み、
前記確認する段階は、
前記ＰＡＡのアドレスシーケンスフィールドが２０ビット、反復シーケンスフィールドが２ビットであり、前記ピックアップが移動する層ｉのアドレスがＰＡＡｉであり、現在ピックアップがある層ｊのアドレスがＰＡＡｊであり、ｎが記録層の数を示すとき、
前記ピックアップが偶数層から奇数層に、または奇数層から偶数層に移動するときは、次のような関係：
【数５１】
0005555267.tif 000052
を有し、
前記ピックアップが偶数層から偶数層に、または奇数層から奇数層に移動するときは、次のような関係：
【数５２】
0005555267.tif 000053
を有するか否かを確認する段階を含むことを特徴とする再生方法。
【発明の詳細な説明】
【技術分野】
【０００１】
本発明は、情報記録媒体に係り、特に、複数の記録層を有する多層情報記録媒体、記録再生装置及び記録再生方法に関する。
【背景技術】
【０００２】
情報記録媒体（または、有無線ネットワークを介した情報伝送）の高容量化（大量化）のために、高密度、多層のような多様な方法が考案されている。一般的に、層当たり高密度と多層との二種を並行して高容量を達成している。
【０００３】
図１は、３層情報記録媒体の一例を図示している。
【０００４】
図１を参照するに、３層情報記録媒体１００は、第１記録層１１０、第２記録層１２０、第３記録層１３０を含む。
【０００５】
一般的に、ピックアップは、トラッキング方向に沿って、各記録層でデータを記録したり再生する。そして、現在の記録層から他の記録層に移動するときは、層間移動を行う。図１に図示されているように、ピックアップ１４０は、層間移動時、各記録層の同一半径で層を移動する。すなわち、第１記録層から第２記録層に移動したり、第１記録層から第３記録層に移動したりする。このように、ピックアップの層間移動時、理論的には、同じ半径で層のみ移動したものであり、実際に移動したアドレスが、同一半径のアドレスではなければならないが、現実的に、さまざまな原因、例えば、ピックアップの移動時に発生しうる機械的な誤差や媒体の偏心などによって、移動したアドレスが正確ではないことがあり、アドレスの確認が必要である。特に、情報記録媒体が、高容量のために多層から構成される場合、多層によって発生する層間移動のとき、効率的なアドレス確認がさらに必要である。
【発明の概要】
【発明が解決しようとする課題】
【０００６】
本発明は、情報記録媒体の多層によって発生する層間移動のとき、効率的にアドレス確認を容易にする情報記録媒体、記録再生装置及び記録再生方法を提供することを目的とする。
【課題を解決するための手段】
【０００７】
前記のような課題を解決するために、複数の記録層を有する情報記録媒体において、前記情報記録媒体に記録されているアドレスである物理的ＡＤＩＰアドレス（ＡＰＰ：physical  ＡＤＩＰ  address）を有し、ピックアップが移動する層ｉのアドレスがＰＡＡｉであり、現在ピックアップがある層ｊのアドレスがＰＡＡｊであり、ｎが記録層の数を示すとき、ピックアップが、偶数層から奇数層に、または奇数層から偶数層に移動するときは、次のような関係：
【０００８】
【数１】
0005555267.tif 000002
を有し、ピックアップが、偶数層から偶数層に、または奇数層から奇数層に移動するときは、次のような関係：
【０００９】
【数２】
0005555267.tif 000003
を有する情報記録媒体、記録再生装置及び記録再生方法を提供する。
【発明の効果】
【００１０】
本発明によれば、多層情報記録媒体における層間移動時、効率的にアドレス確認が可能である。
【図面の簡単な説明】
【００１１】
【図１】３層情報記録媒体の一例を図示する図である。
【図２】物理的ＡＤＩＰアドレス（ＰＡＡ）の構成を示す図である。
【図３】ＤＡＵ（data  address  unit）の構成を示す図である。
【図４】ＰＴＰ（parallel  track  path）でのアドレスユニット・ナンバーを示す図である。
【図５】ＰＴＰでの物理的ＡＤＩＰアドレスを示す図である。
【図６】ＯＴＰ（opposite  track  path）でのアドレスユニット・ナンバーを示す図である。
【図７】ＯＴＰでの物理的ＡＤＩＰアドレスを示す図である。
【図８】本発明によるところの、レイヤ移動時に、アドレス確認方法を説明するための参考図である。
【図９】ＰＡＡの構成が、３ビットのレイヤナンバー・フィールド９１０、１９ビットのアドレスシーケンス・フィールド９２０、２ビットの反復シーケンス・フィールド９３０から構成され、３回反復される場合のＰＡＡを示す図である。
【図１０】ＤＡＵの構成が、４ビットのレイヤナンバー・フィールド１０１０、２３ビットのアドレスシーケンス・フィールド１０２０、１ビットのユニットサイズ・フィールド１０３０のように、２８ビットで構成される場合の各層でのＤＡＵを示す図である。
【図１１】ＰＡＡの構成が、３ビットのレイヤナンバー・フィールド１１１０、２０ビットのアドレスシーケンス・フィールド１１２０、２ビットの反復シーケンス・フィールド１１３０のように、２５ビットで構成されて３回反復される場合の各層でのＰＡＡを示す図である。
【図１２】（ａ）は、図１１に図示された形態での偶数層から奇数層への移動時、または奇数層から偶数層への移動時のアドレス関係を示す図であり、（ｂ）は、偶数層から偶数層への移動時、または奇数層から奇数層への移動時のアドレス関係を示す図である。
【図１３】図１１に図示されたＨＣ  ＢＤ＝ＲＥ＆Ｒ  ＴＬ／ＱＬフォーマットでのＦＡＡ（first  ＡＤＩＰ  address）とＬＡＡ（last  ＡＤＩＰ  アドレス）との関係を示す図である。
【図１４】偶数層から奇数層に（または、奇数層から偶数層に）移動するときのアドレス関係を示す図である。
【図１５】ＤＡＵの構成が、３ビットのレイヤナンバー・フィールド１５１０、２４ビットのアドレスシーケンス・フィールド１５２０、１ビットのユニットサイズ・フィールド１５３０と共に、２８ビットで構成される場合を示す図である。
【図１６】（ａ）は、偶数層から奇数層に（または、奇数層から偶数層に）移動するときのアドレス関係を示す図であり、（ｂ）は、偶数層から偶数層に（または、奇数層から奇数層に）移動するときのアドレス関係を示す図である。
【図１７】偶数層から奇数層に（または、奇数層から偶数層に）移動するときのアドレス関係を示す図である。
【図１８】本発明による記録再生装置の概略的なブロック図である。
【図１９】図１８に図示された本発明による記録再生装置が具現されたドライブのブロック図である。
【図２０】本発明による記録方法の一例である。
【図２１】本発明による再生方法の一例である。
【発明を実施するための形態】
【００１２】
本発明の課題を解決するための本発明の１つの特徴は、複数の記録層を有する情報記録媒体において、前記情報記録媒体に記録されているアドレスである物理的ＡＤＩＰアドレス（ＰＡＡ：physical  ＡＤＩＰ  address）を有し、ピックアップが移動する層ｉのアドレスがＰＡＡｉであり、現在ピックアップがある層ｊのアドレスがＰＡＡｊであり、ｎが記録層の数を示すとき、
ピックアップが偶数層から奇数層に、または奇数層から偶数層に移動するときは、次のような関係：
【００１３】
【数３】
0005555267.tif 000004
を有し、
ピックアップが偶数層から偶数層に、または奇数層から奇数層に移動するときは、次のような関係：
【００１４】
【数４】
0005555267.tif 000005
を有することである。
【００１５】
本発明の他の特徴は、複数の記録層を有する情報記録媒体にデータを記録する装置において、前記情報記録媒体に記録されているアドレスである物理的ＡＤＩＰアドレス（ＰＡＡ）を有する前記情報記録媒体にデータを伝達するために、光を照射したり光を受信するピックアップと、データ記録のために、前記ピックアップが層間移動するときに移動するアドレスを確認し、データを記録するように、前記ピックアップを制御する制御部と、を含み、前記制御部は、前記ピックアップが移動する層ｉのアドレスがＰＡＡｉであり、現在ピックアップがある層ｊのアドレスがＰＡＡｊであり、ｎが記録層の数を示すとき、前記ピックアップが偶数層から奇数層に、または奇数層から偶数層に移動するときは、次のような関係：
【００１６】
【数５】
0005555267.tif 000006
を有し、
前記ピックアップが偶数層から偶数層に、または奇数層から奇数層に移動するときは、次のような関係：
【００１７】
【数６】
0005555267.tif 000007
を有するか否かを確認することである。
【００１８】
本発明のさらに他の特徴は、複数の記録層を有する情報記録媒体からデータを再生する装置において、前記情報記録媒体に記録されているアドレスである物理的ＡＤＩＰアドレス（ＰＡＡ）を有する前記情報記録媒体にデータを伝達するために、光を照射したり光を受信するピックアップと、データ再生のために、前記ピックアップが層間移動するときに移動するアドレスを確認し、データを読み取るように、前記ピックアップを制御する制御部と、を含み、前記制御部は、前記ピックアップが移動する層ｉのアドレスがＰＡＡｉであり、現在ピックアップがある層ｊのアドレスがＰＡＡｊであり、ｎが記録層の数を示すとき、前記ピックアップが偶数層から奇数層に、または奇数層から偶数層に移動するときは、次のような関係：
【００１９】
【数７】
0005555267.tif 000008
を有し、
前記ピックアップが偶数層から偶数層に、または奇数層から奇数層に移動するときは、次のような関係：
【００２０】
【数８】
0005555267.tif 000009
を有するか否かを確認することである。
【００２１】
本発明のさらに他の特徴は、複数の記録層を有し、情報記録媒体に記録されているアドレスである物理的ＡＤＩＰアドレス（ＰＡＡ）を有する情報記録媒体にデータを記録する方法において、データ記録のためにピックアップが層間移動するときに移動するアドレスを確認する段階と、データを記録する段階と、を含み、前記確認する段階は、前記ピックアップが移動する層ｉのアドレスがＰＡＡｉであり、現在ピックアップがある層ｊのアドレスがＰＡＡｊであり、ｎが記録層の数を示すとき、前記ピックアップが偶数層から奇数層に、または奇数層から偶数層に移動するときは、次のような関係：
【００２２】
【数９】
0005555267.tif 000010
を有し、
前記ピックアップが偶数層から偶数層に、または奇数層から奇数層に移動するときは、次のような関係：
【００２３】
【数１０】
0005555267.tif 000011
を有するか否かを確認する段階を含むことである。
【００２４】
本発明のさらに他の特徴は、複数の記録層を有し、前記情報記録媒体に記録されているアドレスである物理的ＡＤＩＰアドレス（ＰＡＡ）を有する情報記録媒体からデータを再生する方法において、データ再生のために、前記ピックアップが層間移動するときに移動するアドレスを確認する段階と、データを再生する段階と、を含み、前記確認段階は、前記ピックアップが移動する層ｉのアドレスがＰＡＡｉであり、現在ピックアップがある層ｊのアドレスがＰＡＡｊであり、ｎが記録層の数を示すとき、前記ピックアップが偶数層から奇数層に、または奇数層から偶数層に移動するときは、次のような関係：
【００２５】
【数１１】
0005555267.tif 000012
を有し、
前記ピックアップが偶数層から偶数層に、または奇数層から奇数層に移動するときは、次のような関係：
【００２６】
【数１２】
0005555267.tif 000013
を有するか否かを確認する段階を含むことである。
【実施例】
【００２７】
まず、用語を定義する。
【００２８】
ＰＡＡ：physical  ＡＤＩＰ  addressは、情報記録媒体上に記録されているアドレスをいう。ＡＤＩＰは、address  in  pre  grooveの略語である。
【００２９】
ＦＡＡ：first  ＡＤＩＰ  addressは、ＰＡＡのうち最初のアドレスをいう
ＬＡＡ：last  ＡＤＩＰ  addressは、ＰＡＡのうち最後のアドレスをいう。ＦＡＡもＬＡＡもＰＡＡである。
【００３０】
ＤＡＵ：データアドレス・ユニット（Data  address  unit）は、記録／再生単位ブロック内に保存されるアドレスをいう。
【００３１】
ＦＡＵ：first  address  unitは、ＤＡＵのうち最初のアドレスをいう。
【００３２】
ＬＡＵ：last  address  unitは、ＤＡＵのうち最後のアドレスをいい、ＦＡＵもＬＡＵもＤＡＵである。
【００３３】
一般的に、ホスト（host）が、データと共に記録する論理アドレスを、記録／再生装置に伝送すれば、記録／再生装置は、前記論理アドレスに該当する情報記録媒体上の物理アドレスをＰＡＡを介して探し、前記データのための記録／再生単位ブロック内にＤＡＵを保存し、前記物理アドレスに記録を行う。再生時は、再生するデータに係わる論理アドレスをホストから伝送され、前記論理アドレスに該当する物理アドレスを、記録／再生単位ブロック内のＤＡＵを介して探して該当データを再生する。
【００３４】
図２は、ＰＡＡの構成を示している。図２を参照するに、ＰＡＡ  ２００は、レイヤナンバー・フィールド（layer  number  field）２１０と、アドレスシーケンス・フィールド（address  sequence  field）２２０と、反復シーケンス・フィールド（repetition  sequence  field）２３０と、を含む。
【００３５】
図３は、ＤＡＵの構成を示している。図３を参照するに、ＤＡＵ  ３００は、レイヤナンバー・フィールド（layer  number  field）３１０、アドレスシーケンス・フィールド（address  sequence  field）３２０、ユニットサイズ・フィールド（unit  size  field）３３０と、を含む。
【００３６】
レイヤナンバー・フィールド２１０，３１０は、当該アドレスが該当する層を示す。例えば、ｎ層（Ｌ０〜Ｌｎ−１）の情報記録媒体である場合、このフィールドの値がｋであるならば、Ｌｋは、層を示す（ｋ＝０，１，２，…，ｎ−１）。
【００３７】
アドレスシーケンス・フィールド２２０，３２０は、レイヤナンバー・フィールドに該当する層でのアドレスを示す。その単位は、セクタ、記録／再生単位ブロックまたはセクタの倍数などでありうる。
【００３８】
反復シーケンス・フィールド２３０は、個々のＰＡＡが反復されるとき、反復されるＰＡＡを示すためのものである。例えば、ＰＡＡが３回反復されるとするとき、２ビットを割り当てて００、０１、１０で示し、反復されるＰＡＡのシーケンスを示すことができる。もしＰＡＡが反復されずに、一回だけ記録／保存されているならば、このフィールドには、いなかるビットも割り当てられていない。
【００３９】
ユニットサイズ・フィールド３３０は、情報記録媒体のアドレスを示すための基本単位が決められているとき、アドレスシーケンス・フィールドのユニットサイズを定義するためのフィールドである。例えば、情報記録媒体のアドレスを示すための基本単位がセクタであるとするとき、アドレスシーケンスを２セクタ単位で示したいとするならば、このフィールドに１ビットを割り当て、その値を０に固定すればよい。もしアドレスシーケンスの単位が基本単位と同一であるならば、このフィールドには、いなかるビットも割り当てられていない。
【００４０】
ｎ層（ｎ＝３以上）のディスク型情報記録媒体において、物理アドレスを示すためのＰＡＡ／ＤＡＵを構成するレイヤナンバー・フィールドは、情報記録媒体のレイヤ番号増加によって、だんだんと増加または減少し、アドレスシーケンス・フィールドは、トラッキング方向に沿って、一定単位で順次に増加または減少し、前記アドレスシーケンスは、隣接層のＰＡＡ／ＤＡＵのアドレスシーケンスと補数（complement）関係を示す。
【００４１】
多層ディスクにアドレスを配列する方法は、パラレル・トラックパス（ＰＴＰ：parallel  track  path）とオポジット・トラックパス（ＯＴＰ：opposite  track  path）との二種に分けることができる。
【００４２】
ＰＴＰは、図４及び図５に図示されているように、情報記録媒体のあらゆる層で、トラッキング方向が同じである場合をいい、ＯＴＰは、図６及び図７のように、そのトラッキング方向が隣接層と互いに反対である場合をいう。
【００４３】
図４は、ＰＴＰでのアドレスユニット・ナンバー、図５は、ＰＴＰでの物理的ＡＤＩＰアドレス、図６は、ＯＴＰでのアドレスユニット・ナンバー、図７は、ＯＴＰでの物理的ＡＤＩＰアドレスを示している。
【００４４】
ＯＴＰもＰＴＰもいずれもトラッキング方向に沿ってアドレスシーケンスは、一定単位で増加したり、一定単位で減少する。ただし、ＯＴＰでは、隣接層で、トラッキング方向が互いに反対であるために、例えば、内周方向から外周方向に見たとき、奇数層では、アドレスシーケンスが一定単位で増加するならば、偶数層では、アドレスシーケンスが一定単位で減少する。従って、ＯＴＰの場合には、隣接層にピックアップが移動するとき、アドレスを確認することができる方法が必要であり、本発明によるレイヤ移動時のアドレス確認方法は、次の通りである。
【００４５】
図８は、本発明によるところの、レイヤ移動時に、アドレス確認方法を説明するための参考図である。図８を参照するに、偶数（even）層から奇数（odd）層に移動するとき（または、奇数（odd）層から偶数（even）層に移動するとき）、現在層のアドレスと、移動する層のアドレスとの関係８１０は、一般的に示せば、次の通りである。
【００４６】
【数１３】
0005555267.tif 000014
そして、偶数層から奇数層に移動するとき（または、奇数層から偶数層に移動するとき）、ＨＣ  ＢＤ（high  capacity  blu-ray）の場合８２０は、次の通りである。
【００４７】
【数１４】
0005555267.tif 000015
ここで、数式上のバー（bar）は、数式になる値の補数を取ったことをいう。すなわち、例えば、一つだけ見れば、ＰＡＡｉは、「ＰＡＡｊ＋（７−（ｉ＋ｊ））＊４０  ００  ００ｈ＋００  ００  ０１ｈ」に補数を取ったことをいう。
【００４８】
偶数層から偶数層に移動するとき（または、奇数層から奇数層に移動するとき）、現在層のアドレスと移動する層のアドレスとの関係８３０は、次の通りである。
【００４９】
【数１５】
0005555267.tif 000016
偶数層から偶数層に移動するとき（または、奇数層から奇数層に移動するとき）、ＨＣ
ＢＤの場合８４０は、次の通りである。
【００５０】
【数１６】
0005555267.tif 000017
ここで、ｊが現在ピックアップがある層であり、ｉがピックアップが移動する層であるとき、ピックアップがｉ層に移動した後のアドレス（ＰＡＡｉ）の確認方法は、ｊ層のアドレスＰＡＡｊから、前記式によって、ｉ層に正しく層移動を行ったか否かを知ることができる。
【００５１】
前記式で、
ｓ＝ＰＡＡのレイヤナンバー・フィールドのために割り当てられたビット数
ｔ＝ＰＡＡのアドレスシーケンス・フィールドと反復シーケンス・フィールドとのために割り当てられたビット数
すなわち、ＰＡＡのために割り当てられたビット数は、「ｓ＋ｔ」である。
【００５２】
ｑ＝ＤＡＵのレイヤナンバー・フィールドのために割り当てられたビット数
ｒ＝ＤＡＵのアドレスシーケンス・フィールドとユニットサイズ・フィールドとのために割り当てられたビット数
すなわち、ＤＡＵのために割り当てられたビット数は、「ｑ＋ｒ」である。
【００５３】
Ｃ１＝反復シーケンス・フィールドの補数関係を調整するための定数
Ｃ２＝ユニットサイズ・フィールドの補数関係を調整するための定数
ｐｏｗ（２，ｘ）＝２のｘ乗を意味する。
【００５４】
図８に図示されたアドレス関係が導き出される具体的な例として、図５及び図６のＯＴＰの４層ディスク型情報記録媒体を考慮し、以下で詳細に説明する。
【００５５】
図９は、ＰＡＡの構成が、３ビットのレイヤナンバー・フィールド９１０、１９ビットのアドレスシーケンス・フィールド９２０、２ビットの反復シーケンス・フィールド９３０から構成され、３回反復される場合の各層でのＰＡＡを示している。
【００５６】
図９を参照するに、レイヤナンバー・フィールド９１０の値は、Ｌ０からＬ３へ行くほど１ずつ増加する。アドレスシーケンス・フィールド９２０の値は、隣接層で互いに補数関係である。そして、反復シーケンス・フィールド９３０の値は、Ｌ０とＬ２とでの配列が同一であり、またＬ１とＬ３とでの配列が同一であり、隣接層では、互いに配列が反対である。
【００５７】
図９のＰＡＡで、具体的には、偶数層から偶数層に移動するとき（または、奇数層から奇数層に移動するとき）は、次の通りである。
【００５８】
【数１７】
0005555267.tif 000018
前記式でＰＡＡ２は、ＰＡＡ０に４０  ００  ００ｈを加えればよいことを示す。図９を参照するに、ＰＡＡ０とＰＡＡ２は、次の通りである。
【００５９】
ＰＡＡ０＝０００  ＡＡ２０．．ＡＡ２  ００  ０１  １０になり、
ＰＡＡ２＝０１０  ＡＡ２０．．ＡＡ２  ００  ０１  １０になる。
【００６０】
ＰＡＡ０とＰＡＡ２とを比較すれば、ＰＡＡ２のアドレスシーケンスナンバーと反復シーケンスナンバーは、ＰＡＡ０のそれと同一であり、ただしレイヤナンバーのみ異なる。従って、ＰＡＡ２は、ＰＡＡ０に、レイヤナンバーに該当するビット値だけ加えればよいことが分かる。
【００６１】
すなわち、ＰＡＡ０は、３ビットのレイヤナンバー（０００）、１９ビットのアドレスシーケンスナンバー、２ビットの反復シーケンスナンバーから構成され、ＰＡＡ２は、３ビットのレイヤナンバー（０１０）、１９ビットのアドレスシーケンスナンバー、２ビットの反復シーケンスナンバーから構成される。
【００６２】
すなわち、ＰＡＡ０は、０００ＡＡＡＡＡＡＡＡＡＡＡＡＡＡＡＡＡＡＡＲＲ、
ＰＡＡ２は、０１０ＡＡＡＡＡＡＡＡＡＡＡＡＡＡＡＡＡＡＡＲＲになる。
【００６３】
ここで、Ａは、１９ビットのアドレスシーケンスナンバーを示し、Ｒは、２ビットの反復シーケンスナンバーを示す。前述の通り、ＰＡＡ２のアドレスシーケンスナンバーと反復シーケンスナンバーは、ＰＡＡ０のそれと同一であるので、ＰＡＡ２は、ＰＡＡ０に「０１００００００  ００００００００  ００００００００」だけ加えればよく、それは、１６進数で示せば、４０  ００  ００ｈとなる。
【００６４】
個別的には、前記の通りに示し、それを一般化された式で示せば、以下の通りである。
【００６５】
【数１８】
0005555267.tif 000019
図９のＰＡＡで、偶数層から奇数層に移動するとき（または、奇数層から偶数層に移動するとき）は、次の通りである。
【００６６】
【数１９】
0005555267.tif 000020
前記式でＰＡＡ１は、ＰＡＡ０にＣ０  ００  ０１ｈを加えて補数を取ればよいことを示す。図９を参照するに、ＰＡＡ０とＰＡＡ１とを見れば、ＰＡＡ１のレイヤナンバー９１０は、ＰＡＡ０のレイヤナンバーに１を加えた値であり、ＰＡＡ１のアドレスシーケンスナンバー９２０は、ＰＡＡ０のアドレスシーケンスナンバー値に対して補数を取った値であり、ＰＡＡ１の反復シーケンスナンバー９３０は、ＰＡＡ０の反復シーケンスナンバー値と順序が異なる。すなわち、ＰＡＡ０の反復シーケンスナンバーは、００  ０１  １０であり、ＰＡＡ１の反復シーケンスナンバーは、順序が異なるために、１０  ０１  ００になる。ＰＡＡ０にＣ０  ００  ０１ｈを加えて補数を取ってＰＡＡ１を求める式の「Ｃ０  ００  ０１ｈ」でのＣに係わる部分は、ＰＡＡ０とＰＡＡ１とのレイヤナンバーの差を考慮した値であり、１に係わる部分は、ＰＡＡ０とＰＡＡ１との反復シーケンスナンバーの差を考慮した値である。
【００６７】
個別的には、前記の通りに示し、これを一般化された式で示せば、以下の通りである。
【００６８】
【数２０】
0005555267.tif 000021
前記式でも、（７−（ｉ＋ｊ））＊２０  ００  ００ｈに係わる部分は、レイヤナンバーを考慮した部分であり、００  ００  ０１ｈは反復シーケンスナンバーを考慮した部分である。
【００６９】
図１０は、ＤＡＵの構成が、４ビットのレイヤナンバー・フィールド１０１０、２３ビットのアドレスシーケンス・フィールド１０２０、１ビットのユニットサイズ・フィールド１０３０のように、２８ビットで構成される場合の各層でのＤＡＵを示している。
【００７０】
図１０を参照するに、レイヤナンバー・フィールド１０１０の値は、Ｌ０からＬ３へ行くほど１ずつ増加する。アドレスシーケンス・フィールド１０２０の値は、隣接層で互いに補数関係である。そして、ユニットサイズ・フィールド１０３０の値は、いずれも０であって同一である。
【００７１】
偶数層から偶数層に移動するとき（または、奇数層から奇数層に移動するとき）は、具体的に次の通りである。
【００７２】
【数２１】
0005555267.tif 000022
個別的には、前記の通りに示され、これを一般化された式で示せば、以下の通りである。
【００７３】
【数２２】
0005555267.tif 000023
偶数層から奇数層に移動するとき（または、奇数層で（から）偶数層に移動するとき）は、具体的に次の通りである。
【００７４】
【数２３】
0005555267.tif 000024
個別的には前記の通りに示され、これを一般化された式で示せば、以下の通りである。
【００７５】
【数２４】
0005555267.tif 000025
図１１は、ＰＡＡの構成が、３ビットのレイヤナンバー・フィールド１１１０、２０ビットのアドレスシーケンス・フィールド１１２０、２ビットの反復シーケンス・フィールド１１３０のように、２５ビットで構成されて３回反復される場合の各層でのＰＡＡを示している。図１１の例が、ＨＣ  ＢＤ−ＲＥ＆Ｒ  ＴＬ／ＱＬ（high  capacity  blu-ray  disc  rewritable  &  recordable  triple  layer/quadruple  layer）に適用される形態である。
【００７６】
図１２の（ａ）は、図１１に図示された形態での偶数層から奇数層への移動時、または奇数層から偶数層への移動時のアドレス関係を示している。
【００７７】
【数２５】
0005555267.tif 000026
個別的には前記のように示し、これを一般化された式で示せば、次の通りである。
【００７８】
【数２６】
0005555267.tif 000027
図１２の（ｂ）は、偶数層から偶数層への移動時、または奇数層から奇数層への移動時のアドレス関係を示している。
【００７９】
【数２７】
0005555267.tif 000028
個別的には前記の通りに示し、これを一般化された式で示せば、次の通りである。
【００８０】
【数２８】
0005555267.tif 000029
図１３は、図１１に図示されたＨＣ  ＢＤ＝ＲＥ＆Ｒ  ＴＬ／ＱＬフォーマットでのＦＡＡとＬＡＡとの関係を示している。
【００８１】
ＦＡＡ０、ＦＡＡ１、ＦＡＡ２、ＦＡＡ３、ＬＡＡ０、ＬＡＡ１、ＬＡＡ２、ＬＡＡ３もＰＡＡであるから、同じ数式が適用される。
【００８２】
図１４は、偶数層から奇数層に（または、奇数層から偶数層に）移動するときのアドレス関係を示している。
【００８３】
【数２９】
0005555267.tif 000030
図１５は、ＤＡＵの構成が、３ビットのレイヤナンバー・フィールド１５１０、２４ビットのアドレスシーケンス・フィールド１５２０、１ビットのユニットサイズ・フィールド１５３０のように２８ビットで構成される場合を示している。
【００８４】
図１５を参照するに、レイヤナンバー・フィールド１５１０の値は、Ｌ０からＬ３へ行くほど１ずつ増加する。アドレスシーケンス・フィールド１５２０の値は、隣接層で互いに補数関係である。そして、ユニットサイズ・フィールド１５３０の値は、いずれも０と同一である。
【００８５】
図１６の（ａ）は、偶数層から奇数層に（または、奇数層から偶数層に）移動するときのアドレス関係を示している。
【００８６】
【数３０】
0005555267.tif 000031
個別的には前記の通りに示され、これを一般化された式で示せば、以下の通りである。
【００８７】
【数３１】
0005555267.tif 000032
図１６の（ｂ）は、偶数層から偶数層に（または、奇数層から奇数層に）移動するときのアドレス関係を示している。
【００８８】
【数３２】
0005555267.tif 000033
個別的には前記の通りに示され、これを一般化された式で示せば、以下の通りである。
【００８９】
【数３３】
0005555267.tif 000034
ＦＡＵ０、ＦＡＵ１、ＦＡＵ２、ＦＡＵ３、ＬＡＵ０、ＬＡＵ１、ＬＡＵ２、ＬＡＵ３もＰＡＡの特殊な場合であるから、同じ数式が適用される。
【００９０】
図１７は、偶数層から奇数層に（または、奇数層から偶数層に）移動するときのアドレス関係を示している。
【００９１】
【数３４】
0005555267.tif 000035
図１８は、本発明による記録再生装置の概略的なブロック図である。図１８を参照するに、本実施形態による装置は、記録／読み取り部１８１０、制御部１８２０を含む。
【００９２】
記録／読み取り部１８１０は、制御部１８２０の制御によって、本実施形態による情報記録媒体１８００にデータを記録し、記録されたデータを読み取る。
【００９３】
制御部１８２０は、記録媒体１８００にデータを記録したり読み取るように記録／読み取り部１８１０を制御する。事実上、本発明によって説明したアドレス確認方法は、データを記録するときやデータを再生するとき、いずれにも適用される。すなわち、データ記録時、記録しようというアドレスを探していて、層間移動が必要な場合、本発明によるアドレス確認方法を利用してアドレスを確認し、アドレスが確認されれば、データを記録する。また、データ再生時、再生しようとするアドレスを探していて、層間移動が必要な場合、本発明によるアドレス確認方法を利用してアドレスを確認し、アドレスが確認されれば、データを再生する。
【００９４】
記録側面の装置と再生側面の装置は、別個の装置によって具現されもし、図１８に図示されているように、１つのシステムで具現されもする。
【００９５】
情報記録媒体１８００は、以上で説明したような情報記録媒体を含み、複数の記録層を有し、また情報記録媒体に記録されているアドレスである物理的ＡＤＩＰアドレス（ＰＡＡ）を有する。
【００９６】
図１９は、図１８に図示された本発明による記録再生装置が具現されたドライブのブロック図である。図１９を参照するに、ドライブは、記録／読み取り部１８１０としてピックアップを具備する。情報記録媒体１８００は、ピックアップに装着されている。また、ドライブは、制御部１８２０として、ホスト・インターフェース（Ｉ／Ｆ）１、ＤＳＰ（digital  signal  processor）２、ＲＦ  ＡＭＰ（radio  frequency  amplifier）  ３、サーボ４及びシステム・コントローラ５を具備する。
【００９７】
記録時、ホストＩ／Ｆ １、すなわち、ホスト・インターフェースは、ホスト（図示せず）から記録するデータと共に記録命令を受ける。システム・コントローラ５は、記録に必要な初期化を行う。デジタル信号処理器（ＤＳＰ）２は、ＲＦ  Ｉ／Ｆ  １から受けた記録するデータを、エラー訂正のためにパリティのような付加データを添加し、ＥＣＣ（error  correcting  code）エンコーディングを行った後、ＥＣＣエンコーディングされたデータを既定の方式で変調する。ＲＦ増幅器（ＲＦ  ＡＭＰ）３は、ＤＳＰ  ２から出力されたデータをＲＦ信号に変える。ピックアップ１８１０は、ＲＦ  ＡＭＰ  ３から出力されたＲＦ信号を一度記録媒体１００に記録する。サーボ４は、システム・コントローラ５からサーボ制御に必要な命令を入力され、ピックアップ１８１０をサーボ制御する。
【００９８】
特に、本発明によるシステム・コントローラ５は、データ記録のために、前記ピックアップが層間移動するときに移動するアドレスを確認し、確認されたアドレスにデータを記録するように、前記ピックアップを制御する。
【００９９】
前記システム・コントローラ５は、前記ピックアップが移動する層ｉのＰＡＡがＰＡＡｉであり、現在ピックアップがある層ｊのＰＡＡがＰＡＡｊであるとき、前記ピックアップが偶数層から奇数層に、または奇数層から偶数層に移動するときは、次のような関係：
【０１００】
【数３５】
0005555267.tif 000036
を有し、前記ピックアップが偶数層から偶数層に、または奇数層から奇数層に移動するときは、次のような関係：
【０１０１】
【数３６】
0005555267.tif 000037
を有するか否かを確認する。前記式で、
ｓ＝ＰＡＡのレイヤナンバー・フィールドのために割り当てられたビット数
ｔ＝ＰＡＡのアドレスシーケンス・フィールドと反復シーケンス・フィールドとのために割り当てられたビット数
Ｃ１＝反復シーケンス・フィールドの補数関係を調整するための定数
ｐｏｗ（２，ｘ）＝２のｘ乗を意味する。
【０１０２】
特に、情報記録媒体がＨＣ  ＢＤである場合、前記システム・コントローラ５は、前記ピックアップが偶数層から奇数層に、または奇数層から偶数層に移動するときは、次のような関係：
【０１０３】
【数３７】
0005555267.tif 000038
を有し、
前記ピックアップが偶数層から偶数層に、または奇数層から奇数層に移動するときは、次のような関係：
【０１０４】
【数３８】
0005555267.tif 000039
を有するか否かを確認する。
【０１０５】
ＤＡＵについても同様に適用される。
【０１０６】
すなわち、前記システム・コントローラ５は、前記ピックアップが移動する層ｉのＤＡＵがＤＡＵｉであり、現在ピックアップがある層ｊのＤＡＵがＤＡＵｊであるとき、前記ピックアップが偶数層から奇数層に、または奇数層から偶数層に移動するときは、次のような関係：
【０１０７】
【数３９】
0005555267.tif 000040
を有し、
前記ピックアップが偶数層から偶数層に、または奇数層から奇数層に移動するときは、次のような関係：
【０１０８】
【数４０】
0005555267.tif 000041
を有するか否かを確認する。
【０１０９】
前記式で、
ｑ＝ＤＡＵのレイヤナンバー・フィールドのために割り当てられたビット数
ｒ＝ＤＡＵのアドレスシーケンス・フィールドとユニットサイズ・フィールドとのために割り当てられたビット数
Ｃ２＝ユニットサイズ・フィールドの補数関係を調整するための定数
ｐｏｗ（２，ｘ）＝２のｘ乗を意味する。
【０１１０】
また、ＤＡＵについては、前記システム・コントローラ５は、前記ピックアップが、偶数層から奇数層に、または奇数層から偶数層に移動するときは、次のような関係：
【０１１１】
【数４１】
0005555267.tif 000042
を有し、
前記ピックアップが偶数層から偶数層に、または奇数層から奇数層に移動するときは、次のような関係：
【０１１２】
【数４２】
0005555267.tif 000043
を有するか否かを確認する。
【０１１３】
再生時、ホストＰＣＩ／Ｆ  １は、ホスト（図示せず）から再生命令を受ける。システム・コントローラ５は、再生に必要な初期化を行う。ピックアップ１８１０は、情報記録媒体１８００にレーザービームを照射し、情報記録媒体１８００から反射されたレーザビームを受光して得られた光信号を出力する。ＲＦ  ＡＭＰ  ３は、ピックアップ１８１０から出力された光信号をＲＦ信号に変え、ＲＦ信号から得られた変調されたデータをＤＳＰ  ２に提供する一方、ＲＦ信号から得られた制御のためのサーボ信号を、サーボ４に提供する。ＤＳＰ  ２は、変調されたデータを復調し、ＥＣＣエラー訂正を経て得られたデータを出力する。一方、サーボ４は、ＲＦ  ＡＭＰ  ３から受けたサーボ信号と、システム・コントローラ５から受けたサーボ制御に必要な命令とを受け、ピックアップ１８１０に対するサーボ制御を行う。ホストＩ／Ｆ  １は、ＤＳＰ  ２から受けたデータをホストに送る。
【０１１４】
特に、本発明によるシステム・コントローラ５は、特に、データ再生のために、前記ピックアップが層間移動するときに移動するアドレスを確認し、確認されたアドレスでデータを読み取るように、前記ピックアップを制御する。
【０１１５】
再生するときも、記録するときと同様に、前記のようなアドレス関係によって、アドレスを確認する。
【０１１６】
図２０は、本発明による記録方法の一例である。図２０を参照するに、データ記録命令を受信すれば（２０１０）、データ記録命令によるアドレスを探す。このとき、データを記録するアドレスを探すために、ピックアップの層間移動が発生した場合、アドレスを確認する（２０２０）。このとき、アドレス確認時、先に図１９を参照して説明したように、システム・コントローラ５は、前述のようなアドレス確認方法によって、アドレス関係を確認する。
【０１１７】
アドレスが確認されれば、確認されたアドレスにデータを記録する（２０３０）。
【０１１８】
図２１は、本発明による再生方法の一例である。図２１を参照するに、データ再生命令を受信すれば（２１１０）、データ記録命令によるアドレスを探す。このとき、データを再生するアドレスを探すために、ピックアップの層間移動が発生した場合、アドレスを確認する（２１２０）。このとき、アドレス確認時、先に図１９を参照して説明したように、システム・コントローラ５は、前述のようなアドレス確認方法によって、アドレス関係を確認する。
【０１１９】
アドレスが確認されれば、確認されたアドレスからデータを再生する（２１３０）。
【０１２０】
以上で説明したような方法はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがあって、またキャリアウェーブ（例えば、インターネットを介した伝送）の形態で具現されることも含む。また、コンピュータで読み取り可能な記録媒体は、ネットワークに連結されたコンピュータシステムに分散され、分散方式でコンピュータで読み取り可能なコードが保存されて実行されうる。そして、前記記録再生方法を具現するための機能的な（function）プログラム、コード及びコードセグメントは、本発明が属する技術分野のプログラマらによって容易に推論されうる。
【０１２１】
以上、本発明について、その望ましい実施形態を中心に説明した。本発明が属する技術分野で当業者は、本発明が本発明の本質的な特性から外れない範囲で変形された形態で具現されることを理解することができるであろう。よって、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
0005555267.tif 000054
【図２】
0005555267.tif 000055
【図３】
0005555267.tif 000056
【図４】
0005555267.tif 000057
【図５】
0005555267.tif 000058
【図６】
0005555267.tif 000059
【図７】
0005555267.tif 000060
【図８】
0005555267.tif 000061
【図９】
0005555267.tif 000062
【図１０】
0005555267.tif 000063
【図１１】
0005555267.tif 000064
【図１２】
0005555267.tif 000065
【図１３】
0005555267.tif 000066
【図１４】
0005555267.tif 000067
【図１５】
0005555267.tif 000068
【図１６】
0005555267.tif 000069
【図１７】
0005555267.tif 000070
【図１８】
0005555267.tif 000071
【図１９】
0005555267.tif 000072
【図２０】
0005555267.tif 000073
【図２１】
0005555267.tif 000074